(57)【要約】【課題】補助熱交換器の段差を吸収し、補助熱交換器の反りの発生を抑えることができる、熱交換器用取付板およびそれを用いた空気調和機、ならびに空気調和機の組立方法を提供する。【解決手段】取付板４は、補助熱交換器３に連結することが可能な第１連結部４２と、本体熱交換器２に連結することが可能な第２連結部４３とを備えている。第１連結部４２には、補助熱交換器３に連結するためのネジ１２が挿入される長孔４４が形成されている。【選択図】図４
2007147156.tif 000002
【特許請求の範囲】
【請求項１】
空気調和機（１）の本体熱交換器（２）と補助熱交換器（３）とを連結するための取付板（４）であって、
前記補助熱交換器（３）に連結することが可能な第１連結部（４２）と、
前記本体熱交換器（２）に連結することが可能な第２連結部（４３）と
を備えており、
前記第１連結部（４２）には、前記補助熱交換器（３）に連結するためのネジが挿入される長孔（４４）が形成されている、
熱交換器用取付板（４）。
【請求項２】
前記第１連結部（４２）は、
前記補助熱交換器（３）の側面に当接することが可能な側面当接部（４２ａ）と、
前記側面当接部（４２ａ）に連結され、前記補助熱交換器（３）の前面に当接することが可能な前面当接部（４２ｂ）と
を有しており、
前記前面当接部（４２ｂ）には、前記長孔（４４）が形成されている、
請求項１に記載の熱交換器用取付板（４）。
【請求項３】
前記補助熱交換器（３）の後面側に当接することが可能な後面当接部（４６）をさらに備えている、
請求項１に記載の熱交換器用取付板（４）。
【請求項４】
本体熱交換器（２）と、
前記本体熱交換器（２）の外面側に配置された補助熱交換器（３）と、
熱交換器用取付板（４）と、
ネジと
を備えており、
前記熱交換器用取付板（４）は、前記補助熱交換器（３）に連結する第１連結部（４２）と、前記本体熱交換器（２）に連結する第２連結部（４３）とを有しており、
前記第１連結部（４２）には、前記補助熱交換器（３）の長手方向に延びる長孔（４４）が形成されており、
前記ネジは、前記長孔（４４）を通って前記第１連結部（４２）を前記補助熱交換器（３）に連結している、
空気調和機（１）。
【請求項５】
前記補助熱交換器（３）の伝熱管の湾曲部分であるヘアピン部（３ａ）と前記本体熱交換器（２）の伝熱管の湾曲部分であるヘアピン部（２ａ）とを互いに連結するための連結部材（６）をさらに備えている、
請求項４に記載の空気調和機（１）。
【請求項６】
前記連結部材（６）は、
前記補助熱交換器（３）のヘアピン部（３ａ）を挿入するための第１挿入孔（６ａ）と、
前記本体熱交換器（２）のヘアピン部（２ａ）を挿入するための第２挿入孔（６ｂ）と、
を有している、
請求項５に記載の空気調和機（１）。
【請求項７】
前記連結部材（６）は、前記補助熱交換器（３）に連結されている、
請求項５に記載の空気調和機（１）。
【請求項８】
請求項４記載の空気調和機（１）の組み立て方法であって、
前記熱交換器用取付板（４）の第２連結部（４３）を前記本体熱交換器（２）にネジ止めする第１工程と、
前記補助熱交換器（３）を前記熱交換器用取付板（４）の前記第１連結部（４２）に重ね合わせて所定の位置に配置する第２工程と、
前記第１連結部（４２）の長孔（４４）に前記ネジを挿入し、前記ネジによって前記第１連結部（４２）と前記補助熱交換器（３）とをネジ止めする第３工程と、
を備えている、
空気調和機（１）の組み立て方法
【請求項９】
請求項４記載の空気調和機（１）の組み立て方法であって、
前記補助熱交換器（３）を前記熱交換器用取付板（４）の前記第１連結部（４２）の長孔（４４）に対して所定の位置で重ね合わせる第１工程と、
前記第１連結部（４２）の長孔（４４）に前記ネジを挿入し、前記ネジによって前記第１連結部（４２）と前記補助熱交換器（３）とを仮止めする第２工程と、
前記熱交換器用取付板（４）の第２連結部（４３）を前記本体熱交換器（２）にネジ止めする第３工程と、
前記補助熱交換器（３）の位置を調整して、前記ネジによって前記第１連結部（４２）と前記補助熱交換器（３）とをネジ止めする第４工程と、
を備えている、
空気調和機（１）の組み立て方法。
【発明の詳細な説明】
【技術分野】
【０００１】
本発明は、熱交換器用取付板およびそれを用いた空気調和機、ならびに空気調和機の組立方法に関する。
【背景技術】
【０００２】
従来より、特許文献１に記載されるように、本体熱交換器の他に熱交換能力を補助するための補助熱交換器を備えた空気調和機の室内機がある。この室内機では、補助熱交換器は、本体熱交換器の前面に重ねた状態で、本体熱交換器にネジ止めされている。
【特許文献１】特開平１０−８９８０３号公報
【発明の開示】
【発明が解決しようとする課題】
【０００３】
しかし、特許文献１に記載される室内機では、補助熱交換器の長さまたは有効長に公差によるバラツキが生じる場合がある。この場合、補助熱交換器を本体熱交換器取り付けるときに段差が生じる。
その段差を吸収する方法として、補助熱交換器の伝熱管のヘアピン部を幅方向に動くようにすることが考えられる。しかし、この方法では、５ｍｍを超える大きいバラツキには対応できず、段差を完全に吸収することが困難である。
【０００４】
一方、段差を強制的にネジで固定すると、補助熱交換器に前方への反りが発生する。補助熱交換器が前方へ反れた場合、補助熱交換器の一部がドレンパンが設置されている範囲からはみ出すことがある。その結果、室内機から水漏れが発生するおそれがある。また、補助熱交換器が前方へ反れた場合、室内機の前面を覆うフロントグリルに接触して、ビビリ音などの異音が発生するおそれがある。
【０００５】
本発明の課題は、補助熱交換器の段差を吸収し、補助熱交換器の反りの発生を抑えることができる、熱交換器用取付板およびそれを用いた空気調和機、ならびに空気調和機の組立方法を提供することにある。
【課題を解決するための手段】
【０００６】
第１発明の熱交換器用取付板は、空気調和機の本体熱交換器と補助熱交換器とを連結するための取付板である。熱交換器用取付板は、第１連結部と、第２連結部とを備えている。第１連結部は、補助熱交換器に連結することが可能である。第２連結部は、本体熱交換器に連結することが可能である。第１連結部には、長孔が形成されている。長孔は、補助熱交換器に連結するためのネジが挿入される。
ここでは、補助熱交換器に連結することが可能な第１連結部には、補助熱交換器に連結するためのネジが挿入される長孔が形成されているので、この長孔によって、本体熱交換器と補助熱交換器の寸法公差により生じる設計位置からの寸法差を吸収することが可能である。
【０００７】
第２発明の熱交換器用取付板は、第１発明の熱交換器用取付板であって、第１連結部は、側面当接部と、前面当接部とを有している。側面当接部は、補助熱交換器の側面に当接することが可能である。前面当接部は、側面当接部に連結されている。前面当接部は、補助熱交換器の前面に当接することが可能である。前面当接部には、長孔が形成されている。
ここでは、第１連結部は、補助熱交換器の側面に当接することが可能な側面当接部と、側面当接部に連結され、補助熱交換器の前面に当接することが可能な前面当接部とを有しており、前面当接部には、長孔が形成されているので、補助熱交換器の前面および側面の２面に当接して補助熱交換器を確実に保持することが可能である。
【０００８】
第３発明の熱交換器用取付板は、第１発明の熱交換器用取付板であって、後面当接部をさらに備えている。後面当接部は、補助熱交換器の後面側に当接することが可能である。
ここでは、補助熱交換器の後面側に当接することが可能な後面当接部をさらに備えているので、補助熱交換器の保持力をさらに向上することが可能である。
【０００９】
第４発明の空気調和機は、本体熱交換器と、補助熱交換器と、熱交換器用取付板と、ネジとを備えている。補助熱交換器は、本体熱交換器の外面側に配置されている。熱交換器用取付板は、第１連結部と、本体熱交換器に連結する第２連結部とを有している。第１連結部は、補助熱交換器に連結する。第２連結部は、本体熱交換器に連結する。第１連結部には、長孔が形成されている。長孔は、補助熱交換器の長手方向に延びている。ネジは、長孔を通って第１連結部を補助熱交換器に連結している。
ここでは、補助熱交換器に連結する第１連結部には、補助熱交換器に連結するためのネジが挿入される長孔が形成されているので、この長孔によって、本体熱交換器と補助熱交換器の寸法公差により生じる設計位置からの寸法差を吸収することが可能である。
【００１０】
第５発明の空気調和機は、第４発明の空気調和機であって、補助熱交換器の伝熱管の湾曲部分であるヘアピン部と本体熱交換器の伝熱管の湾曲部分であるヘアピン部とを互いに連結するための連結部材をさらに備えている。
ここでは、連結部材をさらに備えているので、連結部材によって、補助熱交換器のヘアピン部と本体熱交換器のヘアピン部とを互いに連結することが可能である。
【００１１】
第６発明の空気調和機は、第５発明の空気調和機であって、連結部材は、第１挿入孔と、第２挿入孔とを有している。第１挿入孔は、補助熱交換器のヘアピン部を挿入するための孔である。第２挿入孔は、本体熱交換器のヘアピン部を挿入するための孔である。
ここでは、連結部材の第１挿入孔に補助熱交換器のヘアピン部を挿入し、第２挿入孔に本体熱交換器のヘアピン部を挿入することにより、補助熱交換器のヘアピン部と本体熱交換器のヘアピン部とを容易に連結することが可能である。
【００１２】
第７発明の空気調和機は、第５発明の空気調和機であって、連結部材は、補助熱交換器に連結されている。
ここでは、連結部材が補助熱交換器に連結されているので、連結部材を本体熱交換器に連結するだけで、本体熱交換器と補助熱交換器とを容易に連結することが可能である。
【００１３】
第８発明の空気調和機の組立方法は、第４発明の空気調和機の組立方法である。この組立方法は、第１工程と、第２工程と、第３工程とを備えている。第１工程は、熱交換器用取付板の第２連結部を本体熱交換器にネジ止めする。第２工程は、補助熱交換器を熱交換器用取付板の第１連結部に重ね合わせて所定の位置に配置する。第３工程は、第１連結部の長孔にネジを挿入し、ネジによって第１連結部と補助熱交換器とをネジ止めする。
ここでは、補助熱交換器を熱交換器用取付板の第１連結部に重ね合わせて所定の位置に配置し、第１連結部の長孔にネジを挿入し、ネジによって第１連結部と補助熱交換器とをネジ止めすることにより、本体熱交換器と補助熱交換器の寸法公差により生じる設計位置からの寸法差を吸収することが可能である。
【００１４】
第９発明の空気調和機の組立方法は、第４発明の空気調和機の組立方法である。この組立方法は、第１工程と、第２工程と、第３工程と、第４工程とを備えている。第１工程は、補助熱交換器を熱交換器用取付板の第１連結部の長孔に対して所定の位置で重ね合わせる。第２工程は、第１連結部の長孔にネジを挿入し、ネジによって第１連結部と補助熱交換器とを仮止めする。第３工程は、熱交換器用取付板の第２連結部を本体熱交換器にネジ止めする。第４工程は、補助熱交換器の位置を調整して、ネジによって第１連結部と補助熱交換器とをネジ止めする。
【００１５】
ここでは、あらかじめ、補助熱交換器を熱交換器用取付板の第１連結部の長孔に対して所定の位置で重ね合わせ、第１連結部の長孔にネジを挿入し、ネジによって第１連結部と補助熱交換器とを仮止めする。ついで、熱交換器用取付板の第２連結部を本体熱交換器にネジ止めし、そののち、補助熱交換器の位置を調整して、ネジによって第１連結部と補助熱交換器とをネジ止めする。これにより、本体熱交換器と補助熱交換器の寸法公差により生じる設計位置からの寸法差を吸収することが可能である。また、補助熱交の公差分を吸収した形であらかじめ取付板を補助熱交に取り付けることが可能である。
【発明の効果】
【００１６】
第１発明によれば、長孔によって、本体熱交換器と補助熱交換器の寸法公差により生じる設計位置からの寸法差を吸収することができる。
第２発明によれば、補助熱交換器の前面および側面の２面に当接して補助熱交換器を確実に保持することができる。
第３発明によれば、補助熱交換器の保持力をさらに向上することができる。
【００１７】
第４発明によれば、長孔によって、本体熱交換器と補助熱交換器の寸法公差により生じる設計位置からの寸法差を吸収することができる。
第５発明によれば、連結部材によって、補助熱交換器のヘアピン部と本体熱交換器のヘアピン部とを互いに連結することができる。
第６発明によれば、補助熱交換器のヘアピン部と本体熱交換器のヘアピン部とを容易に連結することができる。
【００１８】
第７発明によれば、連結部材を本体熱交換器に連結するだけで、本体熱交換器と補助熱交換器とを容易に連結することができる。
第８発明によれば、本体熱交換器と補助熱交換器の寸法公差により生じる設計位置からの寸法差を吸収することができる。
第９発明によれば、本体熱交換器と補助熱交換器の寸法公差により生じる設計位置からの寸法差を吸収することができる。また、補助熱交の公差分を吸収した形であらかじめ取付板を補助熱交に取り付けることができる。
【発明を実施するための最良の形態】
【００１９】
＜空気調和機１の全体構成＞
図１〜図４に示される空気調和機１は、空気調和機の室内機であり、本体熱交換器２と、本体熱交換器２の外面側に配置された補助熱交換器３と、熱交換器用取付板４（以下、取付板４という）と、取付板４を本体熱交換器２および補助熱交換器３にそれぞれ連結するためのネジ１１、１２と、連結部材６とを備えている。
本体熱交換器２は、空気調和機１の底部ケース５に据え付けられている。
補助熱交換器３は、本体熱交換器２の熱交換能力を補うための熱交換器である。補助熱交換器３は、取付板４によって本体熱交換器２の外面であって前面側に連結されている。
【００２０】
＜取付板４の構成＞
取付板４は、上記の図１〜図４ならびに図５に示されるように、本体部分４１と、補助熱交換器３に連結することが可能な第１連結部４２と、本体熱交換器２に連結することが可能な第２連結部４３と、後面当接部４６を備えている。
【００２１】
第１連結部４２には、補助熱交換器３に連結するためのネジ１２が挿入される長孔４４が形成されている。長孔４４は、補助熱交換器３の長手方向に延びているので、補助熱交換器３をその長手方向において長さまたは位置の調整をした後に補助熱交換器３をネジ止めすることが可能である。これにより、取付板４の長孔によって、本体熱交換器２と補助熱交換器３の寸法公差により生じる設計位置からの寸法差を吸収することが可能である。
【００２２】
また、第１連結部４２は、側面当接部４２ａと、前面当接部４２ｂとを有している。側面当接部４２ａは、補助熱交換器３の側面に当接することが可能である。前面当接部４２ｂは、側面当接部４２ａに連結され、補助熱交換器３の前面に当接することが可能である。これにより、側面当接部４２ａおよび前面当接部４２ｂが補助熱交換器３の前面および側面に当接して補助熱交換器３を確実に保持することが可能である。
【００２３】
＜連結部材６の構成＞
連結部材６は、図３に示されるように、補助熱交換器３の伝熱管の湾曲部分であるヘアピン部３ａと本体熱交換器２の伝熱管の湾曲部分であるヘアピン部２ａとを互いに連結するための部材である。
連結部材６は、補助熱交換器３のヘアピン部３ａを挿入するための第１挿入孔６ａと、本体熱交換器２のヘアピン部２ａを挿入するための第２挿入孔６ｂとを有している。
連結部材６は、補助熱交換器３にネジ止めによって連結されている。
【００２４】
＜空気調和機１の組立方法＞
つぎに、図１〜図６を参照しながら、空気調和機１の組立方法について説明する。
まず、第１工程として、取付板４の第２連結部４３を本体熱交換器２にネジ止めする。具体的には、図６に示されるように、ネジ１１を取付板４の第２連結部４３に形成された貫通孔４５に挿入したのち、ネジ１１を本体熱交換器２の側面２ｂに形成されたネジ孔１６に螺合する。
【００２５】
ついで、第２工程として、補助熱交換器３を取付板４の第１連結部４２に重ね合わせて所定の位置に配置する。このとき、図６に示されるように、取付板４の第１連結部４２の側面当接部４２ａが補助熱交換器３の側面３ｂに当接または近接し、第１連結部４２の前面当接部４２ｂが補助熱交換器３の前面３ｃに当接する。さらに、取付板４の後面当接部４６が補助熱交換器３の後面３ｄに当接する。
【００２６】
そののち、第３工程として、第１連結部４２の長孔４４にネジ１２を挿入し、ネジ１２によって第１連結部４２と補助熱交換器３とをネジ止めする。
これにより、本体熱交換器２および補助熱交換器３のそれぞれの公差から生じる寸法差を吸収することができる。
また、空気調和機１の組立て後に、補助熱交換器３の長さまたは位置を微調整する際には、ネジ１２をゆるめ、長孔４４の延びる方向に沿って補助熱交換器３を所望の位置に移動させ、そののち、ネジ１２を締めれば、容易に微調整を行うことが可能である。
【００２７】
＜特徴＞
（１）
実施形態の取付板４では、補助熱交換器３に連結することが可能な第１連結部４２には、補助熱交換器３に連結するためのネジ１２が挿入される長孔４４が形成されているので、この長孔４４によって、本体熱交換器２と補助熱交換器３の寸法公差により生じる設計位置からの寸法差を吸収することが可能である。
【００２８】
（２）
実施形態の取付板４では、第１連結部４２は、補助熱交換器３の側面に当接することが可能な側面当接部４２ａと、側面当接部４２ａに連結され、補助熱交換器３の前面に当接することが可能な前面当接部４２ｂとを有しており、前面当接部４２ｂには、長孔４４が形成されているので、補助熱交換器３の前面および側面の２面に当接して補助熱交換器３を確実に保持することが可能である。
【００２９】
（３）
実施形態の取付板４では、補助熱交換器３の後面側に当接することが可能な後面当接部４６をさらに備えているので、補助熱交換器３の保持力をさらに向上することが可能である。
（４）
実施形態の空気調和機１では、補助熱交換器３に連結する第１連結部４２には、補助熱交換器３に連結するためのネジ１２が挿入される長孔４４が形成されているので、この長孔４４によって、本体熱交換器２と補助熱交換器３の寸法公差により生じる設計位置からの寸法差を吸収することが可能である。
【００３０】
（５）
実施形態の空気調和機１は、連結部材６をさらに備えているので、連結部材６によって、補助熱交換器３のヘアピン部３ａと本体熱交換器２のヘアピン部２ａとを互いに連結することが可能である。
（６）
実施形態の空気調和機１では、連結部材６の第１挿入孔６ａに補助熱交換器３のヘアピン部３ａを挿入し、第２挿入孔６ｂに本体熱交換器２のヘアピン部２ａを挿入することにより、補助熱交換器３のヘアピン部３ａと本体熱交換器２のヘアピン部２ａとを容易に連結することが可能である。
【００３１】
（７）
実施形態の空気調和機１では、連結部材６が補助熱交換器３に連結されているので、連結部材６を本体熱交換器２に連結するだけで、本体熱交換器２と補助熱交換器３とを容易に連結することが可能である。
（８）
実施形態の空気調和機１の組立方法では、補助熱交換器３を熱交換器用取付板の第１連結部４２に重ね合わせて所定の位置に配置し、第１連結部４２の長孔４４にネジ１２を挿入し、ネジ１２によって第１連結部４２と補助熱交換器３とをネジ止めすることにより、本体熱交換器２と補助熱交換器３の寸法公差により生じる設計位置からの寸法差を吸収することが可能である。
【００３２】
＜変形例＞
（Ａ）
上記実施形態の空気調和機１の組立方法では、取付板４を本体熱交換器２にネジ止めしたのち、本体熱交換器２の前面において、補助熱交換器３を取付板４にネジ止めしているが、本発明はこの組立方法に限定されるものではなく、本発明の変形例として、補助熱交換器３を本体熱交換器２に取り付ける前に、あらかじめ、取付板４を補助熱交換器３に仮止めしておいてもよい。
【００３３】
すなわち、本発明の変形例の空気調和機１の組立方法は、以下の第１工程から第４工程までの手順で行われる。
まず、第１工程として、補助熱交換器３を取付板４の第１連結部４２の長孔４４に対して所定の位置で重ね合わせる。
ついで、第２工程として、第１連結部４２の長孔４４にネジを挿入し、ネジによって第１連結部４２と補助熱交換器３とを仮止めする。
【００３４】
ついで、第３工程として、取付板４の第２連結部４３を本体熱交換器２にネジ止めする。
そののち、第４工程として、補助熱交換器３の位置または長さを調整して、ネジによって第１連結部４２と補助熱交換器３とをネジ止めする
これにより、上記実施形態の組立方法と同様に、本体熱交換器および補助熱交換器のそれぞれの公差から生じる寸法差を吸収することができる。
【００３５】
さらに、この変形例では、補助熱交の公差分を吸収した形であらかじめ取付板を補助熱交に取り付けることができる
【産業上の利用可能性】
【００３６】
本発明は、空気調和機における補助熱交換器の組立てに適用することが可能である。
【図面の簡単な説明】
【００３７】
【図１】本発明の実施形態である空気調和機の正面図。
【図２】図１の空気調和機の斜視図。
【図３】図１の空気調和機の左側面図。
【図４】図１の空気調和機の分解斜視図。
【図５】図１の熱交換器用取付板の斜視図。
【図６】図１の空気調和機のネジ止め部分の構造を簡略的に示した図。
【符号の説明】
【００３８】
１  空気調和機
２  本体熱交換器
３  補助熱交換器
４  熱交換器用取付板
６  連結部材
４４  長孔
【図１】
2007147156.tif 000003
【図２】
2007147156.tif 000004
【図３】
2007147156.tif 000005
【図４】
2007147156.tif 000006
【図５】
2007147156.tif 000007
【図６】
2007147156.tif 000008